(57)【特許請求の範囲】
【請求項１】
建物の躯体を構成する梁のフランジに保持部材を立設し、前記保持部材に壁ボードの上部側面を合わせた状態で該壁ボードの上部と保持部材をクリップ材によって挟持することで、前記壁ボードの上部を躯体に取り付ける壁ボードの取付構造であって、前記クリップ材が前記壁ボードの上部と前記保持部材を合わせて挟持するための一対の挟持側板を有し、少なくとも一方の挟持側板の下部から横方向に鍔部が延長され、前記鍔部を前記壁ボードと前記梁のフランジに載置された床パネルとの間に形成された前記梁のフランジ上の凹部に合わせ、前記鍔部の上に設けられるようにモルタルからなる固定材を前記凹部に充填することで、前記クリップ材が躯体に固定されていることを特徴とする壁ボードの取付構造。
【発明の詳細な説明】
【０００１】
【発明の属する技術分野】
本発明は、プレハブ住宅や他の建築物の壁に用いる壁ボードの上部を建物の躯体に取り付ける取付構造に関するものである。
【０００２】
【従来の技術】
建築物には壁材や床材として種々のボードが用いられおり、これらのボードを建物の躯体に取り付ける構造の様々なものが提案されている。その中で、例えば図４に示す取付構造は、予めボード51にボルト52を取り付けると共に建物の躯体を構成する梁53に受け金物54をボルト等により固着しておき、ボード51を受け金物54に接触させて取付プレート55にボルト52を挿通し、該ボルト52にナット56を締結することで、ボード51と取付プレート55によって受け金物54を挟持して梁53に取り付けるものである（第１公知例）。
【０００３】
また図５に示す取付構造は、ボード51を受け金物54に接触させた状態で、該ボード51の表面側から釘或いはビス57を打ち込むことで、ボード51を梁53に取り付けるものである（第２公知例）。
【０００４】
【発明が解決しようとする課題】
上記第１公知例に代表される取付プレート55や他の様々な取付金具を用いる構造では、各構造を実現するのに必要な技術の習得が必須となり、夫々固有の技術を習得しない場合、ボードの取付作業が出来ないという問題がある。またボード51本体にも取付プレート55に連結されるボルト52や取付金具に対応させた種々の連結構造を備えることが必須であり、コストの上昇要因となるという問題がある。
【０００５】
また第２公知例に代表されるボード51の表面側或いは裏面側からビス57を打ち込んで取り付ける構造では、１か所を固定するための作業時間が多く必要となるという問題、ボード51の表面を傷つけることとなり補修が必要となるという問題、ビスの打ち込み作業は力を必要とし、高所作業となる場合作業員の危険が多くなるという問題がある。
【０００６】
本発明の目的は、特別な技術を必要とせずに容易な作業で壁ボードを建物の躯体に取り付けることが出来る壁ボードの取付構造を提供することにある。
【０００７】
【課題を解決するための手段】
上記課題を解決するために本発明に係る壁ボードの取付構造は、建物の躯体を構成する梁のフランジに保持部材を立設し、前記保持部材に壁ボードの上部側面を合わせた状態で該壁ボードの上部と保持部材をクリップ材によって挟持することで、前記壁ボードの上部を躯体に取り付ける壁ボードの取付構造であって、前記クリップ材が前記壁ボードの上部と前記保持部材を合わせて挟持するための一対の挟持側板を有し、少なくとも一方の挟持側板の下部から横方向に鍔部が延長され、前記鍔部を前記壁ボードと前記梁のフランジに載置された床パネルとの間に形成された前記梁のフランジ上の凹部に合わせ、前記鍔部の上に設けられるようにモルタルからなる固定材を前記凹部に充填することで、前記クリップ材が躯体に固定されているものである。
【０００８】
上記壁ボードの取付構造では、躯体を構成する梁のフランジに立設した保持部材に取り付けるべき壁ボードの上部側面を合わせ、この状態で壁ボードの上部と保持部材をクリップ材によって挟持することで、保持部材を介して壁ボードの上部を躯体に取り付けることが出来る。
【０００９】
クリップ材が壁ボードの上部と保持部材を合わせて挟持するための一対の挟持側板を有し、少なくとも一方の挟持側板の下部から横方向に鍔部が延長され、前記一方の鍔部の上にモルタルからなる固定材を設けることで、該鍔部を介してクリップ材を固定することが出来る。
【００１３】
【発明の実施の形態】
以下、上記壁ボードの取付構造の好ましい実施形態について図を用いて説明する。図１は壁ボードの取付構造を説明する断面図、図２は躯体に壁ボードを取り付ける手順を示す図、図３はクリップ材の断面形状を説明する図である。
【００１４】
本実施例に係る壁ボードの取付構造は、壁に用いる壁ボードの上端部を躯体に取り付ける際に用いて有利なものであり、取付作業が極めて容易で作業の安全性を向上させることが可能である。以下、図１，図２により具体的に説明する。
【００１５】
図に於いて、建物の躯体を構成する梁１のフランジ１ａには保持部材２が立設されている。保持部材２には壁ボード３の上部が接触しており、この状態で保持部材２と壁ボード３をクリップ材４によって挟持し、これにより壁ボード３の上部を梁１に取り付けている。
【００１６】
また壁ボード３の下端側は図示しない手段によって下層階の梁或いは他の部材に支持されている。本発明は壁ボード３の下端側を支持する構造については何ら限定するものではなく、現在公知の各種受け金具を用いて支持することが可能である。
【００１７】
上記の如くしてクリップ材４によって壁ボード３の上部を梁１に取り付けると共にクリップ材４に設けた鍔部４ｃの上にモルタルからなる固定材５を設けることで、クリップ材４を梁１に固定し、これにより、梁１に対する壁ボード３の取り付けを確実にしている。
【００１８】
建物の躯体を構成する梁１としてはＨ型鋼、溝型鋼、山型鋼等の構造用型鋼を用いることが可能である。本実施例ではＨ型鋼を用いており、保持部材２は保持片２ａと梁１のフランジ１ａに固定される固定片２ｂとからなるＬ字型に形成されている。保持部材２は、長尺状の部材であってもピース状の部材であっても用いることが可能である。本実施例では、保持部材２はフラットバーを折り曲げ成形した長尺状の部材として形成され、保持片２ａが壁ボード３の面の位置を規定する定規としての機能を有している。
【００１９】
従って、保持部材２の固定片２ｂを梁１のフランジ１ａに載置し、保持片２ａの位置決めをした後、ボルト６ａ，ナット６ｂによって固定することで、保持片２ａを定規片として利用することが可能である。
【００２０】
壁ボード３は建物の壁に用いる板状の部材であり、材質や厚さを限定するものではない。このような壁ボード３としては、例えばＡＬＣ（軽量気泡コンクリート）板や石膏壁ボード或いはサイディング等がある。
【００２１】
ここで、本発明に係る壁ボードの取付構造に用いるクリップ材４について説明する。クリップ材４は、図２に示すように、ピース状の金具として形成されている。またクリップ材４は図３（ａ），（ｂ）に示すように、断面がハット形に形成されており、該形状の脚部に対応して一対の挟持側板４ａが形成されている。前記挟持側板４ａの上端部は連結片４ｂによって連結され、且つ下端部には夫々鍔部４ｃ，４ｄが形成されており、前記鍔部４ｃ，４ｄのうち一方の鍔部（例えば４ｃ）は他方の鍔部（４ｄ）よりも長く形成されている。
【００２２】
クリップ材４は、壁ボード３と保持部材２の保持片２ａを合わせた状態で一対の挟持側板４ａによって挟持するものであり、クリップ材４は一対の挟持側板４ａの間隔が壁ボード３の厚さに保持片２ａの厚さを加えた寸法を有することが必要である。従って、クリップ４としては前記条件を満足すれば、金属製，合成樹脂製等材料を限定するものではない。
【００２３】
また挟持側板４ａの長さは、壁ボード３を梁１に取り付けたとき該壁ボード３の上端面から梁１のフランジ１ａに固定した保持部材２の固定片２ｂの上面までの距離に略等しい値を有している。
【００２４】
特に、壁ボード３と保持部材２の保持片２ａをより強固に挟持し得るように、クリップ材４にバネ性を持たせることが好ましい。このため、図３（ｂ）に示すように、挟持側板４ａの上端側の幅Ｗを壁ボード３と保持片２ａの厚さを加えた値とし、下端側の幅ｗを上端側の寸法よりも小さくすることで、強いバネ性を有するクリップ材４を形成することが可能である。この場合、クリップ材４の材料としてバネ鋼の板材を用いることによって、よりバネ性を向上させることが可能である。
【００２５】
次に、図１，図２により梁１に壁ボード３を取り付ける手順について説明する。先ず、建物の躯体を構成する梁１のフランジ１ａに保持部材２を載置し、該部材２の保持片２ａを予め設定された壁ボード３の取付面に一致させて位置決めし、固定片２ｂをボルト６ａ，ナット６ｂによって締結することで保持部材２を所定位置に固定する。
【００２６】
次に、下端側を図示しない手段で支持した壁ボード３の上部を保持部材２の保持片２ａに接触させる。これにより、壁ボード３の一方の面は予め設定された取付面に一致する。このとき、壁ボード３の上端面と保持片２の上端面が一致することは必須ではなく、いずれか一方の上端面が他方の上端面よりも高い位置にあっても良い。
【００２７】
壁ボード３の上端側を保持部材２の保持片２ａに合わせた後、この状態を維持して合わせ部の上端にクリップ材４を配置し、長い方の鍔部４ｃを梁１のフランジ１ａ側に合わせ、一対の挟持側板４ａによって壁ボード３の上端側及び保持片２ａを挟持する。これにより、壁ボード３は保持部材２を介して梁１に取り付けられる。このとき、クリップ材４の長い方の鍔部４ｃは保持部材２の固定片２ｂの上面の近傍に位置する。
【００２８】
次に、クリップ材４の長い方の鍔部４ｃの上に固定材５を設ける。この固定材５は、壁ボード３が壁に用いられるか或いは床に用いられるかに応じて異なる形態のものが利用される。
【００２９】
即ち、本実施例では、壁ボード３が壁に用いられており、梁１のフランジ１ａには床パネル７が設けられる。このため、壁ボード３と床パネル７の間に形成された凹部に固定材５としてのモルタルを充填し、このモルタルによって鍔部４ｃを固定し得るように構成している。
【００３０】
【発明の効果】
以上詳細に説明したように本発明に係る壁ボードの取付構造では、建物の躯体を構成する梁に立設した保持部材に壁ボードの上部をあわせてクリップ材によって挟持するという簡単な作業で壁ボードを躯体に取り付けることが出来る。このため、特別な技術の習得を必要とせずに固定作業を行うことが出来る。また壁ボードに特別な機構を構成する必要がなく、コストの上昇要因がない。更に、壁ボードを取り付ける際にクリップを１か所固定すれば良く、作業時間が短時間ですむため、作業コストを低減することが出来る。
【００３１】
壁ボードを固定する際に、釘やビスを用いないため、壁ボードの表面に傷付けることがなく、従って補修の必要もない。またクリップ材によって壁ボードと保持部材を挟持するに際し、大きな力を必要としない。このため、高所作業であっても安定して安全な作業を実施することが出来る。
【００３２】
またクリップ材の上に固定材を設けることによって、経時的にクリップ材が浮き上がるような虞がなく、信頼性の高い取付構造を実現することが出来る。
【図面の簡単な説明】
【図１】  壁ボードの取付構造を説明する断面図である。
【図２】  躯体に壁ボードを取り付ける手順を示す図である。
【図３】  クリップ材の断面形状を説明する図である。
【図４】  従来技術のうち第１公知例を説明する図である。
【図５】  従来技術のうち第２公知例を説明する図である。
【符号の説明】
１                    梁
１ａ                  フランジ
２                    保持部材
２ａ                  保持片
２ｂ                  固定片
３                    壁ボード
４                    クリップ材
４ａ                  挟持側板
４ｂ                  連結片
４ｃ，４ｄ            鍔部
５                    固定材
６ａ                  ボルト
６ｂ                  ナット
７                    床パネル
【図１】
0003891664.tif 000002
【図２】
0003891664.tif 000003
【図３】
0003891664.tif 000004
【図４】
0003891664.tif 000005
【図５】
0003891664.tif 000006